(57)【要約】      （修正有）【課題】ユーザーが無線音声機能で個人通信したり、或いはミーティング通信に適用できるスピーカーモジュールを通して複数の人と同時通話したりすることができる無線音声機能付のタッチペンを提供する。【解決手段】本無線音声機能付のタッチペンは、本体１０、集音ユニット１６、無線通信モジュール及びマイクロプロセッサユニットを含む。本体は、タッチ部と第１の信号コネクタを備える。無線通信モジュールは、本体の内部に設けられており、集音ユニットが生成した音声データをワイヤレス方式で送信したり音声データをワイヤレス方式で受信したりするようにしている。マイクロプロセッサユニットは、本体の内部に設けられるとともに集音ユニットと無線通信モジュールに電気的に接続されており、無線通信モジュールが受信した音声データを第１の信号コネクタに送信する。【選択図】図２Ａ
0003173692.tif 000002
【実用新案登録請求の範囲】
【請求項１】
タッチ部と第１の信号コネクタを備える本体と、
前記本体の内部に設けられる集音ユニットと、
前記本体の前記内部に設けられており、前記集音ユニットが生成した音声データをワイヤレス方式で送信したり、音声データを前記ワイヤレス方式で受信したりする無線通信モジュールと、
前記本体の前記内部に設けられるとともに前記集音ユニットと前記無線通信モジュールに電気的に接続されており、前記無線通信モジュールが受信した前記音声データを前記第１の信号コネクタに送信するマイクロプロセッサユニットと、
を含むことを特徴とする無線音声機能付のタッチペン。
【請求項２】
第２の信号コネクタを備えるスピーカーモジュールを更に含み、
前記スピーカーモジュールは、前記第２の信号コネクタによって前記本体の前記第１の信号コネクタに分離可能に接続されており、
前記無線通信モジュールが受信した前記音声データは、前記第１の信号コネクタと前記第２の信号コネクタによって前記スピーカーモジュールに送信されることを特徴とする請求項１に記載の無線音声機能付のタッチペン。
【請求項３】
前記スピーカーモジュールが前記音声データを受信するのに必要な電力は、前記本体を通して前記第１の信号コネクタと前記第２の信号コネクタによって前記スピーカーモジュールに供給されることを特徴とする請求項２に記載の無線音声機能付のタッチペン。
【請求項４】
第３の信号コネクタを備えるスピーカー装置を更に含み、
前記スピーカー装置は、前記第３の信号コネクタによって前記本体の前記第１の信号コネクタに分離可能に接続されており、前記無線通信モジュールが受信した前記音声データを増幅して出力することを特徴とする請求項１に記載の無線音声機能付のタッチペン。
【請求項５】
前記スピーカー装置は、前記スピーカー装置に電力を供給するための電源ユニットを更に含むことを特徴とする請求項４に記載の無線音声機能付のタッチペン。
【請求項６】
前記本体の内部に設けられるとともに、前記マイクロプロセッサユニットと前記第１の信号コネクタとの間に電気的に接続される音声エンコーダ／デコーダーモジュールを更に含み、
前記音声エンコーダ／デコーダーモジュールは、前記無線通信モジュールが受信した前記音声データを復号したり、前記集音ユニットが集音した前記音声データを符号化したりするためのものであることを特徴とする請求項１ないし５のいずれかに記載の無線音声機能付のタッチペン。
【請求項７】
前記本体の表面に設けられるとともに、前記マイクロプロセッサユニットに電気的に接続される操作インタフェースを更に含み、
前記マイクロプロセッサユニットは、前記操作インタフェースの設定に応じて前記無線音声機能付のタッチペンの音声通信時の音量を調整することを特徴とする請求項１ないし６のいずれかに記載の無線音声機能付のタッチペン。
【請求項８】
前記操作インタフェースは、ボタン、ローラー、スライドスイッチ、電子式スイッチのうちのいずれか１種又はそれらの組み合わせからなるものであることを特徴とする請求項７に記載の無線音声機能付のタッチペン。
【考案の詳細な説明】
【技術分野】
【０００１】
本考案は、無線通信装置に関し、特に無線通信装置である無線音声機能付のタッチペン(ｔｏｕｃｈ ｐｅｎ ｗｉｔｈ ｗｉｒｅｌｅｓｓ ｖｏｉｃｅ ｃａｐａｂｉｌｉｔｙ)に関するものである。
【背景技術】
【０００２】
現在の無線通信装置は、あらゆる有線通信装置が有する機能をほとんど有するようになっている。通信装置の携帯利便性の向上が進められているにつれて、無線通信装置を軽薄短小することは、あらゆる製造メーカーの共同目標となっている。
【０００３】
現在の無線通信装置においてよく使用されている通信標準規格として、ブルートゥース（Ｂｌｕｅｔｏｏｔｈ（登録商標））、ジグビー（以下、Ｚｉｇｂｅｅ（登録商標）という）、ワイヤレス・フィディリティー（以下、ＷｉＦｉという）などの通信標準規格がある。ブルートゥースを使用するブルートゥース装置を例示すれば、ブルートゥース装置同士の間で、簡単な通信協定によって互いに送受信（又は通信）を行うことができる。ブルートゥース装置は、ハンズフリー（ｈａｎｄ−ｆｒｅｅ）通信装置と携帯通信装置との間の無線通信、例えば、携帯電話のハンズフリーイヤホンと携帯電話との間のファイルを送受信するなどによく使用されている。また、ブルートゥースによって伝統の有線通信装置を無線化することもよくある。一方、Ｚｉｇｂｅｅ（登録商標）通信規格は同じ機能を有する上に、より省エネの特性をも有する。また、ＷｉＦｉは、高データ転送レート（ｄａｔａ ｔｒａｎｓｍｉｓｓｉｏｎ ｒａｔｅ）を提供することでデータの転送を一層向上させることができる。
【考案の概要】
【考案が解決しようとする課題】
【０００４】
本考案は、本体及び分離可能なスピーカーによってユーザーが個人通信又はミーティング通信を行うことができる無線音声機能付のタッチペンを提供することを課題とする。ミーティング通信の場合、ユーザーが無線音声機能付のタッチペンの本体及び分離可能なスピーカーを分離させることによって、ミーティング通信に適用するスピーカー装置に連接して複数の人がミーティング通信を同時に行うという利便性を奏することができる。
【課題を解決するための手段】
【０００５】
本考案に係る無線音声機能付のタッチペンは、本体、集音ユニット、無線通信モジュール及びマイクロプロセッサユニットを含む。本体は、タッチ部と第１の信号コネクタを備える。集音ユニットは、本体の内部に設けられている。無線通信モジュールは、本体の内部に設けられており、集音ユニットが生成した音声データをワイヤレス方式で送信したり、音声データをワイヤレス方式で受信したりするようにしている。マイクロプロセッサユニットは、本体の内部に設けられるとともに集音ユニットと無線通信モジュールに電気的に接続されており、無線通信モジュールが受信した音声データを第１の信号コネクタに送信する。
【考案の効果】
【０００６】
本考案に係る無線音声機能付のタッチペンは、タッチ機能を提供するとともに、ユーザーが無線音声機能で個人通信したり、或いはミーティング通信に適用できるスピーカーモジュールを通して複数の人と同時通話したりすることができる。
【図面の簡単な説明】
【０００７】
【図１】本考案に係る無線音声機能付のタッチペンの回路ブロック図を示す。
【図２Ａ】本考案に係る無線音声機能付のタッチペンの模式図を示す。
【図２Ｂ】本考案に係る無線音声機能付のタッチペンの分離状態の模式図を示す。
【図３】本考案に係る無線音声機能付のタッチペンとスピーカー装置の結合模式図を示す。
【図４】本考案に係る無線音声機能付のタッチペンとスピーカー装置の結合模式図を示す。
【考案を実施するための形態】
【０００８】
（無線音声機能付のタッチペンの実施例）
【０００９】
図１、図２Ａ、図２Ｂを参照して説明する。図１は本考案に係る無線音声機能付のタッチペンの回路ブロック図を示す。図２Ａは本考案に係る無線音声機能付のタッチペンの模式図を示す。図２Ｂは本考案に係る無線音声機能付のタッチペンの分離状態の模式図を示す。図１に示すように、無線音声機能付のタッチペン１は、マイクロプロセッサユニット１１、無線通信モジュール１２、音声エンコーダ／デコーダーモジュール１３、操作インタフェース１４、スピーカーモジュール１５及び集音ユニット１６を含む。図２Ｂに示すように、無線音声機能付のタッチペン１は、タッチ部１０１と第１の信号コネクタ１８を有する本体１０を更に備える。スピーカーモジュール１５は、スピーカーユニット１７と第２の信号コネクタ１９を備える。
【００１０】
図１に示すように、操作インタフェース１４と無線通信モジュール１２はマイクロプロセッサユニット１１にそれぞれ電気的に接続される。音声エンコーダ／デコーダーモジュール１３は、マイクロプロセッサユニット１１とスピーカーモジュール１５との間に電気的に接続されるとともに、集音ユニット１６にも接続される。また、図２Ｂに示すように、タッチ部１０１は本体１０の一端に設けられ、第１の信号コネクタ１８は本体１０の他端に設けられる。スピーカーモジュール１５は、第２の信号コネクタ１９によって本体１０における第１の信号コネクタ１８に分離可能に接続される。スピーカーユニット１７は、スピーカーモジュール１５の表面に設けられるとともに、第２の信号コネクタ１９に電気的に接続される。無線通信モジュール１２、音声エンコーダ／デコーダーモジュール１３及び集音ユニット１６は本体１０の内部に設けられる。スピーカーモジュール１５と本体１０を分離した場合、本体１０は、第１の信号コネクタ１８によって他のスピーカー装置（図示せず）に接続されることができる。
【００１１】
本体１０は、外見がペン状を呈しており、ペンヘッド状を呈するタッチ部１０１を有する。タッチ部１０１は、タッチパネルをタッチするためのものである。タッチパネルは、例えば、容量式タッチパネル、抵抗式タッチパネル又はインダクタンス式タッチパネルなどのタッチパネルであってもよい。また、タッチ部１０１は各式のタッチパネルに応じて適宜設計でき、その設計方式が公知のものであるため、その説明を省略する。
【００１２】
本体１０は、マイクロプロセッサユニット１１、無線通信モジュール１２、音声エンコーダ／デコーダーモジュール１３及び集音ユニット１６を収容するためのものである。また、伝統の万年筆、鉛筆又はボールペンのように、ユーザーは無線音声機能付のタッチペン１を携帯しやすいようになる。本体１０のタッチ部１０１は、タッチパネルをタッチするためのものである。また、ユーザーが無線音声機能付のタッチペン１を上着のポケットに挿すために、無線音声機能付のタッチペン１はペンホルダー（又はペン掛け）を更に含んでもよい。また、本体１０の内部には無線通信モジュール１２、マイクロプロセッサユニット１１及び音声エンコーダ／デコーダーモジュール１３を設置してある基板（図示せず）を収容するようにしてもよい。基板は回路板やプリント基板、例えば両面多層基板であってもよい。また、本体１０の設計方式が公知のものであるため、その説明を省略する。
【００１３】
マイクロプロセッサユニット１１は、音声データを送受信するように無線通信モジュール１２を制御する。マイクロプロセッサユニット１１は、操作インタフェース１４の設定に応じて、通話を行う際の音量を調整する。操作インタフェース１４は、ユーザーが手動で無線音声機能付のタッチペン１によって音声通信を行う際の音量を調整させるためのものである。操作インタフェース１４は、例えば、ボタン、ローラー、スライドスイッチ、電子式スイッチのうちのいずれか１種又はそれらの組み合わせからなるものであってもよい。
【００１４】
無線通信モジュール１２は、無線通信で遠隔（図示せず）から送信された音声データを受信したり、又は遠隔に音声データを送信したりするためのものである。また、無線通信モジュール１２は、音声データを送受信するためのものであり、ブルートゥース（Ｂｌｕｅｔｏｏｔｈ（登録商標））モジュール、ジグビー（Ｚｉｇｂｅｅ（登録商標））モジュール又はワイヤレス・フィディリティー（ＷｉＦｉ）モジュールであってもよい。ここで、遠隔とは、携帯電話、無線通信機能付のモバイルフォン（Ｍｏｂｉｌｅ  ｐｈｏｎｅ）又は無線通信機能付のコンピューターであってもよい。遠隔の無線通信モジュールは、ブルートゥース、Ｚｉｇｂｅｅ（登録商標）又はＷｉＦｉを通して無線通信モジュール１２と通信することができる。
【００１５】
音声エンコーダ／デコーダーモジュール１３は、（マイクロプロセッサユニット１１を通して）無線通信モジュール１２が受信した音声データを復号して、復号した音声データを第１の信号コネクタ１８と第２の信号コネクタ１９によってスピーカーモジュール１５のスピーカーユニット１７に伝送する。また、音声エンコーダ／デコーダーモジュール１３は、集音ユニット１６が受信した音声データを符号化して、（マイクロプロセッサユニット１１を通して）符号化した音声データを無線通信モジュール１２に伝送する。スピーカーモジュール１５のスピーカーユニット１７は、音声エンコーダ／デコーダーモジュール１３が伝送した音声データを音声に転換するためのものである。集音ユニット１６は、集音した音声を音声データに転換して、音声データを音声エンコーダ／デコーダーモジュール１３に伝送するためのものである。
【００１６】
図２Ａと図２Ｂに示すように、スピーカーモジュール１５の形状はペンキャップであってもよい。ユーザーが本体１０とスピーカーモジュール１５を接続したり分離したりする動作は、伝統の万年筆又はボールペンのペンキャップを接続したり分離したりする動作と同じである。また、ペンキャップ形状を呈するスピーカーモジュール１５は、無線音声機能付のタッチペン１に好ましい外見を提供する効果を奏することができる。
【００１７】
本体１０とスピーカーモジュール１５が第１の信号コネクタ１６と第２の信号コネクタ１９によって接続された場合、スピーカーモジュール１５が音声を生成するのに必要な電力は、本体１０を通して第１の信号コネクタ１８と第２の信号コネクタ１９によってスピーカーモジュール１５に供給される。言い換えれば、本体１０は、スピーカーモジュール１５に電力を供給するための電源ユニット（図示せず）を更に含んでもよい。但し、これに限定されるものではなく、スピーカーモジュール１５自体は電力を供給する電源ユニットを有するようにしてもよい。
【００１８】
図２Ｂと図３を参照して説明する。図３は本考案に係る無線音声機能付のタッチペンとスピーカー装置の結合模式図を示す。スピーカーモジュール１５と本体１０を分離した場合、本体１０は、第１の信号コネクタ１８によってスピーカー装置２の第３の信号コネクタ２１に接続されることができる。スピーカー装置２とスピーカーモジュール１５の機能は大体同じであるが、スピーカーモジュール１５との相違点は、スピーカー装置２が無線通信モジュール１２の受信した音声データ（例えば、音声エンコーダ／デコーダーモジュール１３によって復号された音声データなど）を増幅して出力することができるという点である。この場合、無線音声機能付のタッチペン１をミーティングモードで動作させることによって、複数の人と同時通話することができるように、スピーカー装置２はスピーカーモジュール１５が提供した音声の音量よりも大きな音量を提供する。また、スピーカーモジュール１５は、出力増幅回路及び適当なパワーを有するスピーカーユニットを有するようにしてもよい。また、図３に示すスピーカー装置２を会議室のテーブルの上に置くことで、二人以上のユーザーが無線音声機能付のタッチペン１によって複数の人と同時通話を行うことができる。例えば、二人以上のユーザーが無線音声機能付のタッチペン１によって遠隔にある複数の人と同時通話を行うことができる。
【００１９】
ここで注意すべき点は、第３の信号コネクタ２１は第２の信号コネクタ１９と同様であってもよく、スピーカー装置２が本体１０を通して第１の信号コネクタ１８から送信された電力を受けるか否かについてスピーカー装置２の設計に応じて決定するようにしてもよい。また、第３の信号コネクタ２１は第２の信号コネクタ１９と同様でなくてもよく、第３の信号コネクタ２１と第２の信号コネクタ１９は第１の信号コネクタ１８からの音声データを受信できるようにすればよい。
【００２０】
スピーカーモジュール１５に対して、スピーカー装置２は、二人以上のユーザーがはっきり聞こえるようにより大きな電力で十分な音量を提供することが必要であるため、スピーカー装置２に別途で電力を供給するための電源ユニット（図示せず）を更に含んでもよい。これにより、無線音声機能付のタッチペン１は、スピーカー装置２に電力を供給することなく、スピーカー装置２に音声データのみを提供すればよい。但し、本考案はこれに限定されるものではない。例えば、無線音声機能付のタッチペン１が供給する電力はスピーカー装置２が十分な音量を出力させることができるならば、無線音声機能付のタッチペン１は単独でスピーカー装置２に電力を供給するようにしてもよい。
【００２１】
図２Ｂと図４を参照して説明する。図４は本考案に係る無線音声機能付のタッチペンとスピーカー装置の結合模式図を示す。スピーカーモジュール１５と本体１０を分離した場合、本体１０は第１の信号コネクタ１８によってスピーカー装置３の信号コネクタ（図示せず）に接続される。スピーカー装置３の信号コネクタは図３に示す第３の信号コネクタ２１と同様であってもよい。スピーカー装置３は、例えば図４に示す球状を呈することで、複数のユーザーのうちの一人が無線音声機能付のタッチペン１を手で持ちながら無線音声機能付のタッチペン１のスピーカー装置３を通してミーティング通話を行うようにしてもよい。
（実施例の効果）
【００２２】
本考案に係る無線音声機能付のタッチペンによれば、タッチ機能を提供するとともに、ユーザーが無線音声機能付のタッチペンによって無線通信を行ったり、或いは無線音声機能付のタッチペンをハンズフリーイヤホンとして使用したりすることができる。また、無線音声機能付のタッチペンの本体をスピーカー装置に接続された場合、スピーカー装置によって複数の人がはっきり聞こえるように十分な音量を提供することで、ユーザーがミーティング通話を行うことができる。また、無線音声機能付のタッチペンは、操作インタフェースによって音声通信時の音量を適当に調整することができる。
【００２３】
上述した実施例は、本考案の好ましい実施態様に過ぎず、本考案の実施の範囲を限定するものではない。
【符号の説明】
【００２４】
１  無線音声機能付のタッチペン
１０  本体
１０１  タッチ部
１１  マイクロプロセッサユニット
１２  無線通信モジュール
１３  音声エンコーダ／デコーダーモジュール
１４  操作インタフェース
１５  スピーカーモジュール
１６  集音ユニット
１７  スピーカーユニット
１８  第１の信号コネクタ
１９  第２の信号コネクタ
２、３  スピーカー装置
２１  第３の信号コネクタ
【図１】
0003173692.tif 000003
【図２Ａ】
0003173692.tif 000004
【図２Ｂ】
0003173692.tif 000005
【図３】
0003173692.tif 000006
【図４】
0003173692.tif 000007